(57)【特許請求の範囲】
【請求項１】
時間に関連するデータまたは他のデータのためのディスプレイ・デバイスを含む、腕時計タイプの時計などの電子または電子機械装置のための照明デバイスであって、この照明デバイスは、前記ディスプレイ・デバイスを照明するための光源を含み、その光源は照明に使用されていない期間も周囲光の強度測定が可能な発光ダイオード（Ｄ３）であることを特徴とする照明デバイス。
【請求項２】
前記光源によって与えられる照明強度は、前記測定された周囲光の強度に応じることを特徴とする請求項１に記載の照明デバイス。
【請求項３】
前記周囲光の状態を示す電気信号を提供する測定段と、
前記測定段によって生成される前記電気信号に応じて、弱いまたは強い光度レベルに対応する電子状態を記憶するメモリ段と、
前記光源がスイッチ・オンされることを命令する信号が生成されたとき、前記メモリ段に記憶された前記電子状態に応じて、前記光源によって提供される光の強度を調整する段とを含むことを特徴とする請求項１または２に記載の照明デバイス。
【請求項４】
前記測定段が、前記周囲光の強さによって制御される電流発生器を形成するように、トランジスタ（Ｔ１）に結合された前記光源を含むことを特徴とする請求項３に記載の照明デバイス。
【請求項５】
前記メモリ段が、ＲＣ回路を形成するように、抵抗器（Ｒ９）の端子と並列に接続されたコンデンサ（Ｃ３）を含み、前記ＲＣ回路の時定数値が、前記コンデンサ（Ｃ３）の容量値および前記抵抗器（Ｒ９）に応じて調整されることを特徴とする請求項４に記載の照明デバイス。
【請求項６】
前記時定数は、人間の目が暗さに順応するために必要な時間に対応することを特徴とする請求項５に記載の照明デバイス。
【請求項７】
前記光源のスイッチ・オンを制御する回路は、前記コンデンサ（Ｃ３）および前記抵抗器（Ｒ９）によって形成される前記回路に続くフリップ・フロップ（１）を含み、前記フリップ・フロップ（１）の論理入力Ｄの高いまたは低い状態は、前記コンデンサ（Ｃ３）の電荷状態に応じ、この状態は、前記光源がスイッチ・オンされることを命令する制御信号の受信時に、前記同じフリップ・フロップ（１）の論理出力Ｑへ移され、前記フリップ・フロップ（１）の出力Ｑが、その後、前記出力Ｑの論理状態が高いかまたは低いかに応じて、より強いまたはより弱い電流を前記光源に給電できる手段を制御することを特徴とする請求項５または６に記載の照明デバイス。
【請求項８】
前記光源を給電する前記電流強度を制御する手段が、少なくとも２連の接続された抵抗器（Ｒ４、Ｒ５）を含み、前記抵抗器の一方（Ｒ４）が、トランジスタ（Ｔ６）が導電状態にされたとき、抵抗器（Ｒ４）の端子間に構成されたトランジスタ（Ｔ６）によって短絡されることを特徴とする請求項７に記載の照明デバイス。
【請求項９】
前記制御信号がタイミング回路（２）によって生成され、このタイミング回路（２）が、前記光源を電源に接続するスイッチング手段を閉じることを命令し、かつ前記光源がスイッチ・オンされたままである時間期間を決定することを特徴とする請求項７または８に記載の照明デバイス。
【請求項１０】
前記スイッチング手段が、トランジスタ（Ｔ３）を含むことを特徴とする請求項９に記載の照明デバイス。
【請求項１１】
前記光源が、その光源をスイッチ・オンする前記制御信号を移すタイミングで給電されることを特徴とする請求項９または１０に記載の照明デバイス。
【請求項１２】
前記タイミングが、コンデンサ（Ｃ１）および抵抗器（Ｒ３）を含むＲＣ回路によって生成されることを特徴とする請求項１１に記載の照明デバイス。
【請求項１３】
前記メモリ段は、前記コンデンサ（Ｃ３）が前記測定段に放電することを防ぐアンチリターン・ダイオード（Ｄ１）によって、前記測定段から分離されることを特徴とする請求項５乃至１２のいずれか一項に記載の照明デバイス。
【請求項１４】
スイッチング手段が、前記測定段と前記メモリ段との間に構成され、これらのスイッチング手段は、前記光源が前記周囲光の強さを測定する間は導電状態であり、前記メモリ段の電荷の状態が妨害されることを防ぐために、前記光源がスイッチ・オンされることを命令する信号の受信時に非導電状態であることを特徴とする請求項５乃至１３のいずれか一項に記載の照明デバイス。
【請求項１５】
前記スイッチング手段が、トランジスタ（Ｔ２）を含むことを特徴とする請求項１４に記載の照明デバイス。
【請求項１６】
前記光源がスイッチ・オフされたとき、第２のタイミング回路（１４）が、前記フリップ・フロップ（１）の論理出力Ｑをゼロに再設定することを特徴とする請求項７乃至１５のいずれか一項に記載の照明デバイス。
【請求項１７】
前記ディスプレイ・デバイスが、液晶セル、文字盤、または針、ならびに要素の少なくとも２つの組み合わせを含むことを特徴とする請求項１乃至１６のいずれか一項に記載の照明デバイス。
【請求項１８】
前記照明デバイスが、前記照明デバイス・アセンブリに前記光源によって生成された光を配分させるために使用される光要素と組み合わせて使用されることを特徴とする請求項１乃至１７のいずれか一項に記載の照明デバイス。
【請求項１９】
ディスプレイ・デバイスを照明するための光源を含む、腕時計タイプの時計などの電子または電子機械装置のための時間に関連する情報または他の情報をディスプレイするデバイスの照明方法であって、前記光源は、周囲光の強度を測定するためにも使用される発光ダイオード（Ｄ３）であることを特徴とする方法。
【請求項２０】
前記ディスプレイ・デバイスが、周囲光の明るさの程度に応じてより大きいまたはより小さい強度で照明されることを特徴とする請求項１９に記載の方法。
【請求項２１】
前記ディスプレイ・デバイスが、照明された環境にある場合に明るく照明されることを特徴とする請求項１９に記載の方法。
【請求項２２】
前記装置が、明るく照明された環境からほぼ暗いまたは暗い環境に移動し、人間の目が暗さに順応する前に、前記ディスプレイ・デバイスを照明することが望まれるなら、前記ディスプレイ・デバイスは、前記ディスプレイ・デバイスが照明された環境と同じ強度で照明されることを特徴とする請求項１９乃至２１のいずれか一項に記載の方法。
【請求項２３】
前記装置が、明るく照明された環境からほぼ暗いまたは暗い環境に移動され、人間の目が暗さに順応した後に、前記ディスプレイ・デバイスを照明することが望まれる場合には、前記ディスプレイ・デバイスは弱く照明されることを特徴とする請求項１９乃至２２のいずれか一項に記載の方法。
【請求項２４】
昼間の視覚状態および夜間の視覚状態に照明を適合する時間が、プログラムされることができることを特徴とする請求項１９乃至２３のいずれか一項に記載の方法。
【請求項２５】
前記ディスプレイ・デバイスが液晶セルであり、液晶セル・ディスプレイのコントラストが最適化される瞬間に前記セルを照明するように、照明が、液晶セル・ディスプレイの周波数と同期されることを特徴とする請求項１９乃至２４のいずれか一項に記載の方法。
【発明の詳細な説明】
【０００１】
【発明の属する技術分野】
本発明は、腕時計などの携帯可能な電子装置を照明するデバイスに関し、その装置によって提供されるデータのユーザの読み取りを容易にすることに関する。本発明は、また、そのようなデバイスを実装する方法に関する。
【０００２】
【従来の技術】
暗いところでユーザが時間を読み取れるように光源を用いて文字盤が照らされる腕時計は長年の間知られている。これらの腕時計は、光源から送られる光の強度が互いに異なっている。これらの腕時計の一部は、光源が腕時計文字盤を明るく照明する。販売員が、製品の品質を可能性がある購買者に説明し、かつ購買者に腕時計を夜間に使用する様子を示す場合には、これは有利であることが分かっている。したがって、ユーザは、販売場所における照明にかかわらず、腕時計が照明された状態で腕時計ディスプレイを見ることができる。しかしながら、腕時計のユーザが夜間に時間を調べることを望むなら、大きな強度の光は腕時計のユーザの目をくらませることがある。さらに、この明るく証明するという方法は、エネルギー蓄積能力が必然的に制限される腕時計などの小さい寸法の携帯可能な電子対象物の場合には、深刻なハンデキャップになる。すなわち、大きな量のエネルギーを消費する重大な不都合を有する。この欠点を解消するために、わずかな明るさであるが、もちろんそのような腕時計のユーザが、暗いところで時間に関係する情報または他の情報を読み取ることができるために十分な明るさで腕時計を照明することが提案された。この第２の解決方法は、電力消費の観点からは経済的であるという主要な長所を有する。しかしながら、照明が、昼間の光で見ることができるのにはわずかすぎるため、わずかな照明の場所に引き込めたとしても、販売場所で腕時計の照明品質を示すことは実際には不可能である。
【０００３】
光センサを有する腕時計を提供するために、例えばＳｅｉｋｏｓｈａの名前での米国特許第４，９９５，０１６号で行われた提案のように、新たなステップが従来技術においてなされた。この光センサは、周囲光の様々な強度レベルを検出でき、かつ検出された光のレベルに応じて、腕時計が備えるディスプレイ・デバイスの照明を周囲光に適合させることができる。
【０００４】
このタイプのデバイスは、腕時計の構成中に、例えば前記腕時計によって提供されるデータのためのディスプレイ・デバイスの強い照明または弱い照明をもはや選択する必要が無いことを意味する。したがって、周囲光が弱い（暗いまたはほぼ暗い）とき、ディスプレイ・デバイス自体の照明が弱い。これは、電力消費の観点から非常に好まく、その上、それでもなお、腕時計のユーザは任意のときに、特に深夜に、表示を見ることができる。一方、周囲光の強度が強いとき、光センサは腕時計照明手段を非作動にする。しかしながら、その腕時計はスイッチを備えている。販売員が、製品の品質を可能性がある購買者に説明し、かつ購買者に腕時計を夜間に使用する様子を示すために、そのスイッチを操作すると、例えば腕時計販売店における十分な昼光でも腕時計が明るく照明される。しかしながら、光センサの形態の余分な構成部品の追加は、一定の問題が無いわけではない。これは、使用される構成部品数の観点、ならびにアセンブリおよび製造時間の観点の両方で余分なコストがかかり、可能性がある故障の新たなソースを導入する。可能性がある故障の新たなソースは、多少なりとも長期間で、電子腕時計の信頼性を損ねる可能性がある。さらに、この検出システムは指向性があり、その効率はセンサの位置に応じる。例えばシャツのそでによって作られる影は、周囲光の程度の測定を誤らせる。これらの問題を解消するためには、検出表面を増加させることを選択するしかない。しかしながら、この処置は、腕時計の美的概観を著しく損ない、そのサイズを増加させる。
【０００５】
【特許文献１】
米国特許第４，９９５，０１６号
【特許文献２】
欧州特許出願第０８６０７５５号
【０００６】
【発明が解決しようとする課題】
本発明の目的は、電子装置によってディスプレイされるデータの照明が、周囲光の強度に応じて、高信頼でかつ安価に制御できる携帯可能な電子対象物のための照明デバイスによって、従来技術の欠点を解消することである。
【０００７】
【課題を解決するための手段】
したがって、本発明は、時間に関連するデータまたは他のデータに関するディスプレイ・デバイスを含む、腕時計タイプの時計などの携帯可能な電子または電気機械装置の照明デバイスに関し、この照明デバイスは、ディスプレイ・デバイスを照明する光源を含み、光源は、また周囲光の強度の測定が可能であることを特徴とする。
【０００８】
これらの特徴のために、本発明は、光源が、データ・ディスプレイ・デバイスが取り付けられる装置のデータ・ディスプレイ・デバイスを照明することと、周囲光の強度の程度を検出することの両方が可能である照明デバイスを提供する。したがって、本発明は、独立した光強度センサの使用を避けることができ、容易に理解されるように、構成を単純化し、かつしたがってコストを制限するように、使用される構成部品数を制限することができ、非常に有利である。さらに、本発明による照明デバイスの信頼性は、同様の知られている従来技術のデバイスの信頼性に対して改善される。
【０００９】
欧州特許出願第０８６０７５５号に開示された光要素のような、ディスプレイ・デバイスを照明するために使用される光要素と組み合わせて本発明による照明デバイスを使用することが有利である。実際、例えば腕時計文字盤などの表面上に、光源によって生成された光を配分するために使用される光要素は、
光が進行する光経路を反転することが可能である原理により、周囲光を収集するために反転して使用することが可能である。
光源と、周囲光を収集するために前記光源によって生成された光を拡散するために元来使用された要素との組み合わせ使用は、センサ単体が使用された場合より、周囲光の強度の程度に関してより信頼性のある情報をセンサに提供する。実際、このセンサは、制限された活性表面を含み、センサが提供する検出信号は、影を通過することによって容易に妨害される可能性がある。
【００１０】
本発明の他の特徴によれば、光源によって提供される光強度は、測定された周囲光の強さに適合される。したがって、照明デバイスが取り付けられる装置、特に腕時計タイプの時計が十分な光にあるときに、照明デバイスが作動された場合、前記照明デバイスが強い照明を提供する。したがって、貴金属装飾具販売員が、顧客に腕時計の特徴を説明することができ、例えば夜に顧客が腕時計を使用するときに、腕時計が有する外観を顧客に示すことができる。反対に、照明デバイスが暗い場所で作動された場合、照明デバイスは、十分な昼光より弱い照明を提供する。したがって、ユーザは、夜間に腕時計を調べても目をまどわされず、電力消費は制限され、腕時計に給電するバッテリの寿命は増加する。
【００１１】
本発明のさらに別の特徴によれば、暗さに順応する人間の目に必要な時間が考慮される。したがって、ユーザが、照明された場所から暗い場所に迅速に移動し、ユーザが、その直後に腕時計を見ることを望む場合、照明デバイスは、ユーザの視覚が新しい照明状態にまだ調整されていないと判断し、腕時計ディスプレイ・デバイスを明るく照明する。しかしながら、ユーザが、より長い時間期間の後に腕時計を調べたい場合、前記ユーザの視覚が夜の視覚状態に調整されていると考えられるとき、照明デバイスは弱く光る。
【００１２】
本発明は、また、腕時計タイプの時計などの電子または電子機械装置の時間に関連する情報または他の情報のためのディスプレイ・デバイスを照明する方法に関し、ディスプレイ・デバイスを照明するための光源を含み、光源は、また周囲光の強度を測定するために使用される。
【００１３】
本発明の他の特徴および利点は、添付の図面と組み合わせて、本発明の照明デバイスの純粋に非制限の例示によって与えられる実施形態例の以下の詳細な記載からより明らかになろう。
【００１４】
【発明の実施の形態】
本発明は、全体として進歩性がある考えから生じている。この進歩性がある考えは、腕時計などの電子または電子機械装置のディスプレイ・デバイスを照明するだけではなく、ディスプレイ・デバイス照明の強度を環境状態に適合させるための周囲光の強さの検出器として、同じ光源を使用することである。この特徴のために、使用される構成部品数が制限され、そのようなディスプレイ・デバイスの製造はより簡単に作られ、したがってより経済的に作られる。さらに、このタイプのディスプレイ・デバイスは改善された信頼性を有する。
【００１５】
本発明は、腕時計タイプの電子装置を参照して記載される。言うまでも無く、本発明は使用されるディスプレイ・デバイスのタイプによって制限されない。針がその上を動く文字盤または液晶セルであることができる。同様に、本発明は、時計の分野に制限されず、無線または携帯電話など任意の他タイプの携帯可能な装置に適用できる。
【００１６】
腕時計の照明は、様々な手段を用いて行うことができ、その中で以下を引用することができる。すなわち、
上にデザインが印刷され、または部分的に透明な文字盤と組み合わせて使用されるエレクトロルミネッセンス・シート、
欧州特許出願第０８６０７５５号に開示されたような、例えばリング状光ガイドなどの光ガイド、
文字盤上に配置されるか（前方照明）、文字盤が部分的に透明であるとき文字盤の下（後方照明）に配置されるプレーナ光ガイド、
例えば米国特許第４，９９５，０２２号に開示されるような腕時計の針、
米国特許第６，１０６，１２７に開示されるような光源などである。
【００１７】
上述で簡潔に説明された方法は、本発明の実装に特により適している。もちろん、腕時計の文字盤が、部分的または全体が液晶ディスプレイ・セルによって形成されている場合にも、これらの方法は有効なままである。
【００１８】
まず図１を参照する。スタンバイ段階の間、発光ダイオードＤ３は、照明手段の役割を果たさないが、逆に発光ダイオードＤ３が、周囲光の明るさを検出するモードで動作する。本発明の範囲において、製品番号ＨＳＭＢ−１９０ＣまたはＨＳＭＣ−Ｓ６９０でＡｇｉｌｅｎｔ社によって市販されているダイオード、または製品番号ＦＲ１１１１Ｃ、Ｄｉｏｄｅ  Ｄ３でＳｔａｎｌｅｙ社によって市販されているダイオードを使用することができる。トランジスタＴ１のゲートに接続されたダイオードＤ３は、周囲光の明るさの程度に依存して流れる電流が変わる電流発生器のように作動する測定段を形成する。したがって、ＬＥＤ  Ｄ３によって制御される電流源を有する。この電流源で作られた電流は、抵抗器Ｒ１を流れる。抵抗器Ｒ１は、トランジスタＴ１のドレインに接続され、電流源によって作られた電流に比例する電圧降下を生成する。したがって、一方ではダイオードＤ３によって制御される電流源によって作られた電流に応じ、他方では抵抗器Ｒ１の実際の値に応じた電圧を有する。本記載の以下の部分で最も良く理解されるように、抵抗器Ｒ１の値の選択は、電圧閾値を、給電されたときダイオードＤ３が生成する強い照明より低く、ダイオードＤ３が生成する制限された照明より高くなるように設定する。
【００１９】
回路図で見られるように、トランジスタＴ２を備えるスイッチング手段は、トランジスタＴ１と抵抗器Ｒ１との間の共通点に接続される。スタンバイ段階の間、トランジスタＴ２は導電状態のままであり、したがって、抵抗器Ｒ１の端子間に存在する電圧がコンデンサＣ３に迅速に印加される。このコンデンサＣ３は、ノンリターン・ダイオードＤ１を介して抵抗器Ｒ１と並列に接続されている。ノンリターン・ダイオードＤ１は、コンデンサＣ３が抵抗器Ｒ１を通って放電するのを防いでいる。同様に、コンデンサＣ３は抵抗器Ｒ９に結合され、抵抗器Ｒ９とともにＲＣ回路を形成している。ＲＣ回路の時定数は、コンデンサＣ３が抵抗器Ｒ９を通して放電することができる速度を決定する。したがって、このＲＣ回路は、測定段によって生成される電気信号に応じて、弱いまたは強い周囲光のレベルに対応する状態を記憶するメモリ段を形成する。コンデンサＣ３および抵抗器Ｒ９によって形成される回路の時定数の値は、周囲光の変化に対して調節するために人間の目に必要な時間に応じて調整されることが以下で分かるであろう。
【００２０】
したがって、ここまで記載された要素が２つの時定数を決める。これらの時定数の第１が、非常に小さい抵抗を有するアンチリターン・ダイオードＤ１を介してコンデンサＣ３を充電するために必要な非常に短い時間に対応する。本明細書で前に記載された要素によって決まる第２の時定数は、コンデンサＣ３が抵抗器Ｒ９に放電されるのに必要な時間に対応する。この時間は、コンデンサＣ３を充電するために必要な時間より長く、既に記述したように人間の視覚パラメータに応じて調節される。したがって、本発明によるデバイスは、強い周囲光状態のとき、ＬＥＤ  Ｄ３とトランジスタＴ１によって形成された電流発生器は、コンデンサＣ３を非常に迅速に充電する。周囲光がより弱い環境に本発明によるデバイスが入ると、コンデンサＣ３は抵抗器Ｒ９を通して次第に放電される。本発明によるデバイスが、明るく照明されている場所から弱く照明されている場所に移動すると、この移動の瞬間に、ダイオードＤ３に生成される電流と比例する抵抗器Ｒ１によって作られる電圧降下がコンデンサＣ３の電位より低い状態となる。したがって、ダイオードＤ３とトランジスタＴ１によって作られる電流発生器は、コンデンサＣ３を再充電できない。これは、コンデンサＣ３が十分に放電され、その電位が抵抗器Ｒ１の端子間に存在する電位より小さくなる瞬間に再び可能になる。したがって、コンデンサＣ３の端子間の電圧における変動は、周囲光の強度における変化の正確な反映である。
【００２１】
本特許出願に添付されている図１に見られるように、コンデンサＣ３および抵抗器Ｒ９によって形成されるＲＣ回路は、フリップ・フロップ１の論理入力Ｄに接続される。このフリップ・フロップ１は、光源をスイッチ・オンすることを命令する信号が生成されたときに、光源によって提供される光の強度をメモリ段に記憶された電子状態に応じて調節する段を構成する。より正確には、フリップ・フロップ１は、入力Ｄに印加される電圧が、例えば１．７Ｖの第１の所定値より大きいか、または例えば１．２Ｖの第２の所定値より小さいかに応じて、その入力Ｄが、高い論理レベル「１」または低い論理レベル「０」であるとする。従来の方法では、フリップ・フロップ１は、外部誘導の作用を介して入力Ｄがその出力Ｑに変更なしに現れる論理状態となる機能を有する。本発明の場合、この外部誘導は、押しボタンＰＢ１への圧力印加の形態をとり、押しボタンＰＢ１は、瞬間ｔ１（図２「スタート」曲線を参照）に、高いレベル「１」でタイミング回路２の出力Ｑを設定する。回路図で分かるように、タイミング回路２の出力Ｑは、フリップ・フロップ１のクロック入力ＣＬＫに直接に接続されている。したがって、押しボタンＰＢ１が瞬間ｔ１で押されたとき、タイミング回路２がスイッチ・オンされる。タイミング回路２は、フリップ・フロップ１の入力Ｄの論理状態をその出力Ｑに向けて移し、かつ押しボタンＰＢ１が作動された後の所定の時間この状態に前記出力Ｑを保持する作用を有する。この期間は、タイミング回路２によって維持され、図２の「テンポ」曲線の時間間隔ｔ１〜ｔ３に対応する。フリップ・フロップ１の出力Ｑの状態は、したがって、押しボタンＰＢ１が作動された瞬間に周囲光状態のイメージである。
【００２２】
タイミング回路２の出力Ｑは、また、トランジスタＴ２のゲートに接続される。既に前に記載されたように、トランジスタＴ２は、本発明によるデバイスのスタンバイ段階の全期間で導電状態であり、コンデンサＣ３は、アンチリターン・ダイオードＤ１および前記トランジスタＴ２を介して、ＬＥＤ  Ｄ３とトランジスタＴ１によって形成される電流発生器に接続されている。しかしながら、ダイオードＤ３が、周囲光の強さセンサとしては使用されず、光センサとして使用されるようになるとすぐに、メモリ段（コンデンサＣ３、抵抗器Ｒ９）は、前記コンデンサＣ３の充電状態が変わることを避けるために、測定段すなわち積分段（ダイオードＤ３、トランジスタＴ１、抵抗器Ｒ１）から直ちに分離されなければならない。これは、トランジスタＴ２を非導電状態にしたタイミング回路２の出力Ｑに生成される信号の役割である。
【００２３】
押しボタンＰＢ１が、ＬＥＤ  Ｄ３をスイッチ・オンするように押されたとき、これは、タイミング回路２の論理出力Ｑを「１」に設定する作用を有する。それにより、フリップ・フロップ１の入力Ｄの論理状態がその出力Ｑに移され、トランジスタＴ２が非導電状態にされ、ダイオードＤ３とトランジスタＴ１によって形成され、かつ周囲光の明るさの程度によって制御される電流発生器からコンデンサＣ３を分離する。同時に、タイミング回路２の論理出力Ｑの高いレベルはトランジスタＴ３のゲートに印加され、トランジスタＴ３を導電状態にして、ダイオードＤ３に電気エネルギーを提供することを可能にする。しかしながら、照明を制御するトランジスタＴ３は、押しボタンＰＢ１が作動された瞬間ｔ１の後時間ｔ２（図２の曲線「ＬＥＤ」を参照）だけ、すなわちわずかな時間遅れて導電状態にされる。この遅れは、タイミング回路２とトランジスタＴ３との間に構成された、コンデンサＣ１および抵抗器Ｒ３で形成されるＲＣ回路によって導入される。このダイオードＤ３の時間ずらしたスイッチ・オンは、コンデンサＣ３に蓄積された電荷状態を変更しないことを確実にすることを可能にする。
【００２４】
フリップ・フロップ１の出力Ｑの高いまたは低い論理レベルは、図２の「照明」曲線で示されている。２つの太い水平線は、フリップ・フロップ２の出力Ｑの論理状態「０」または「１」を示す。出力Ｑの論理状態は、押しボタンＰＢ１が押されたとき、瞬間ｔ１でコンデンサＣ３の電荷状態を示す。ダイオードＤ３がセンサとして作動する限り、コンデンサＣ３の端子間の電圧は、周囲光の強さの変化に応じて変動する（図２の曲線「光変動」を参照）。照明状態は、図２の「光変動」曲線の破線で示されているように継続して変動するが、押しボタンＰＢ１が押された瞬間ｔ１に、コンデンサＣ３の電荷状態が固定されかつタイミングの全期間に関して実質的に同一のままである。実際に、その時定数のために、コンデンサＣ３が、ＬＥＤ  Ｄ３がスイッチ・オンのままとされる時間に対応するタイミング信号の期間と比較して遅く放電する。タイミングの終わりで、コンデンサＣ３は、再び給電され、周囲光状態に対応する電荷レベルに迅速になる。
【００２５】
フリップ・フロップ１の出力Ｑの高いまたは低い論理レベルは、トランジスタＴ６のゲートに印加される。その後、フリップ・フロップ１の出力Ｑが「０」論理状態であるなら、トランジスタＴ６は開いたままであり、ダイオードＤ３とトランジスタＴ６との間で直列に接続された２つの抵抗器Ｒ４およびＲ５を通して最小電流で給電される。しかしながら、フリップ・フロップ１の出力Ｑが論理状態「１」であるなら、トランジスタＴ６が閉じ、ダイオードＤ３は、それから単一の抵抗器Ｒ５を通して最大電流で給電される。トランジスタＴ６が導電状態であると、その内部抵抗がＲ４の内部抵抗に比べて非常に低いので、抵抗器Ｒ４を実質的に短絡する。
【００２６】
タイミングの終わりで、タイミング回路の出力Ｑの論理状態は「０」になる。すぐ、トランジスタＴ３は開き、ダイオードＤ３をスイッチ・オフさせる。同様に、トランジスタＴ２は再び閉じ、コンデンサＣ３は、再びダイオードＤ３とトランジスタＴ１によって形成される電流源段に接続され、その電荷状態は、次第に周囲光の強さに対応するレベルとなる。最終的に、第２のタイマ４がフリップ・フロップ１の論理出力Ｑを再設定する（図２の「リセット」曲線を参照）。
【００２７】
本発明によるデバイスの動作サイクルを検討する。始めに、デバイスがスタンバイ状態、すなわちＬＥＤ  Ｄ３が、照明されていないが、周囲光の強さの程度を検出するためにだけに使用される状態にあることを仮定する。さらに、この動作サイクルの開始で、デバイスが照明されていると仮定する。
【００２８】
デバイスのスタンバイ状態において、ＬＥＤ  Ｄ３は給電されなくてよいので、トランジスタＴ３は非導電状態である。逆に、トランジスタＴ２は閉じられ、したがって導電状態であり、抵抗器Ｒ１の端子間に存在する電圧は、コンデンサＣ３に加えられる。したがってコンデンサＣ３が充電される。抵抗器Ｒ１の端子間の電圧は電流からの結果であり、その電流は、抵抗器Ｒ１を通過し、周囲光度で制御された電流発生器として作動するＬＥＤ  Ｄ３とトランジスタＴ１によって生成される。コンデンサＣ３の電荷状態は、トランジスタＴ１のドレインと抵抗器Ｒ１との間の共通点での電圧降下に対応していることことは容易に理解されるであろう。したがって、抵抗器Ｒ１の値は、フリップ・フロップ１の論理入力Ｄに印加される電圧値を決定し、フリップ・フロップ１の論理入力Ｄが、高いレベル「１」または低いレベル「０」であるかを決定する。押しボタンＰＢ１が作動された瞬間に、フリップ・フロップ１が「０」であるか、または「１」であるかに応じて、これは、電流供給ダイオードＤ３の強度を決定し、したがって、照明の低いまたは高い強度をダイオードＤ３によって決定する。
【００２９】
本発明によるデバイスは照明される状態にあるとき、押しボタンＰＢ１が作動されたと仮定しよう。コンデンサＣ３の電荷状態が高いレベルであり、フリップ・フロップ１の入力Ｄの論理状態は、その高いレベル「１」である。押しボタンＰＢ１の作動の作用を介して、タイミング回路２の出力Ｑは「１」になり、フリップ・フロップ１の入力の論理状態「１」を、フリップ・フロップ１の出力Ｑへ移すことを命令する。同時に、タイミング回路２は、トランジスタＴ２を非導電状態にし、コンデンサＣ３の電荷状態は、ＬＥＤ  Ｄ３がスイッチ・オンされることによって変えられることはない。同様に、タイミング回路２がトランジスタＴ３を導電状態にすることで、ダイオードＤ３に電流が供給されるようになる。しなしながら、ダイオードＤ３は、押しボタンＰＢ１が作動された後の短い瞬間だけ給電され、このタイミングは、コンデンサＣ１および抵抗器Ｒ３で形成されるＲＣ回路によって生成され、ここでまた、コンデンサＣ３の電荷状態は、ダイオードＤ３がスイッチ・オンされることによって変更されないことを確実にする。最後に、フリップ・フロップ１の高いレベル「１」が、トランジスタＴ６を導電状態にするために、それがトランジスタＴ６のゲートに印加され、ダイオードＤ３を給電する電流が、抵抗器Ｒ５によってだけ制限される。したがって、ダイオードＤ３による照明は最大にされる。貴金属装飾具店の販売員が、顧客にあまり暗くない状態で照明されるときの腕時計が有する外観を示すことを望むときにこの機能は特に有用である。実際、販売箇所の明るさにもかかわらず、ダイオードＤ３は、顧客に、前記腕時計の照明を見せることができるのに十分に明るく輝く。タイミング回路２によって決定されるダイオードＤ３の所定の動作時間後、前記タイミング回路２の論理出力Ｑはゼロになる。ただちに、トランジスタＴ３は非導電状態になり、ダイオードＤ３をスイッチ・オフにして、トランジスタＴ２は導電状態になり、コンデンサＣ３は、周囲光度に対応する電荷状態に戻る。
【００３０】
ユーザが、明るい環境からほぼ暗い環境に突然移動し、かつユーザが腕時計を見ることを望むことを仮定しよう。明るく照明された場所からあまり照明されていない場所に移動するとき、本発明によるデバイスは、周囲光の強度の程度に応じて抵抗器Ｒ１によって形成される電圧降下が、コンデンサＣ３の電位より小さい状態になる。したがって、ＬＥＤ  Ｄ３とトランジスタＴ１に形成される電流発生器は、コンデンサＣ３を再充電することができず、コンデンサＣ３は、抵抗器Ｒ９を通して次第に放電を開始する。コンデンサＣ３が放電される速度は、前記コンデンサＣ３および抵抗器Ｒ９によって形成される回路の時定数によって設定されている。これは、Ｃ３およびＲ９の値に応じて調整することができるパラメータである。
【００３１】
本発明によれば、回路Ｃ３、Ｒ９の時定数の値は数分の程度である。それは、実際、人間が明るく照明された環境から来たとき、人間の目が暗さに順応するのに必要な平均時間に対応する。したがって、コンデンサＣ３の電荷状態が、トランジスタＴ１と抵抗器Ｒ１との間の共通点の電圧降下値に達する前に、ユーザが押しボタンＰＢ１を作動するなら、フリップ・フロップ１の論理入力Ｄの状態は高く、ダイオードＤ３は明るく輝く。逆に、コンデンサＣ３が抵抗器Ｒ９を通して放電され、抵抗器Ｒ９の端子間の電圧が、抵抗器Ｒ１の端子間の電圧に対応する間に、ユーザが押しボタンＰＢ１を作動する場合、この場合、フリップ・フロップ１の論理入力Ｄの状態は低くなり、ＬＥＤ  Ｄ３は弱く輝く。本発明のこの特徴は、ユーザが、すべての環境において腕時計によって提供される指示を有利に読み取ることを可能にする。したがって、ユーザが、明るい場所からほぼ暗い場所に突然移動し、その直後押しボタンＰＢ１を作動した場合、ユーザの視覚が暗さに完全には適応していないので、ＬＥＤ  Ｄ３は、ユーザが腕時計によってディスプレイされるデータを読み取ることを可能にするために、明るく輝く。逆に、ユーザが暗い場所に入る瞬間と、ユーザが腕時計を見ることを望む瞬間との間に、より長い時間期間が経過した場合、ダイオードＤ３によって提供される照明強度は弱い。実際、ユーザの目は、夜間の視野に順応するのに十分な時間を持つ場合、それは、したがって腕時計を明るく照明するのにもはや必要はない。これは、２つの利点を有する。一方は、ユーザが、例えば夜間に腕時計を見るときに目をまどわされず、他方、実質的なエネルギーの節約がなされる。
【００３２】
最終的に、人間が、ほぼ暗い場所から明るい場所に迅速に移動する場合を検討しなければならない。この場合、トランジスタＴ２を介して、コンデンサは、強い照明に対応する充電段にほとんど瞬間に到達し、ユーザが押しボタンＰＢ１を作動する場合、フリップ・フロップ１の論理入力Ｄは、ＬＥＤ  Ｄ３が強い照明を提供する場合に対応する高い論理レベル「１」である。
【００３３】
言うまでも無く、本発明は、記載された実施形態に限定されず、様々な単純な修正および変形が、本発明の範囲を逸脱することなく検討される。特に、コンデンサの充電および放電時間、したがって昼間の視覚状態および夜間の視覚状態に照明調整時間を調整するために、抵抗器の値をユーザによってプログラムされることを検討できる。他の有利な実施形態は、ディスプレイの視認性およびコントラストを改善するために、パルス化された方法で液晶セルを照明する電子回路を使用することを含む。実際、腕時計に組み込まれた液晶セルのディスプレイ・コントラストを測定する場合、前記セルの電極アドレス指定信号と同期されたこのコントラストのビートに気が付くだろうか。したがって、パルス化された照明は、最適な方法で液晶セルと同期される場合、観察者は最大ディスプレイ・コントラストを見るだけである。
【図面の簡単な説明】
【図１】本発明による照明デバイスの回路である。
【図２】本発明による照明デバイスの異なる要素の端子間の電圧変化を示すヒストグラムである。
【符号の説明】
１  フリップ・フロップ
２  タイミング回路、フリップ・フロップ
４  第２のタイマ
Ｃ３  コンデンサ
ＣＬＫ  クロック入力
Ｄ  論理入力
Ｄ１  ノンリターン・ダイオード
Ｄ３  発光ダイオード
ＰＢ１  押しボタン
Ｑ  出力
Ｒ１、Ｒ４、Ｒ５、Ｒ９  抵抗器
Ｔ１、Ｔ２、Ｔ３、Ｔ６  トランジスタ
【図１】
0004308548.tif 000002
【図２】
0004308548.tif 000003